(57)【要約】      （修正有）【課題】遮光板が大型化した場合でも、撮像の際に焦点検出手段の光路を遮ることや、回動するメインミラーやサブミラーと接触することを防止した撮像装置を提供する。【解決手段】レンズからの光を第１の方向に導くメインミラー５と、レンズからの光を第２の方向に導くサブミラー７と、サブミラーにより第２の方向に導かれた光に基づいて焦点検出を行う焦点検出手段８と、レンズからの光を撮像する撮像手段３と、撮像手段による撮像の際に、焦点検出手段の反射光が撮像手段へ入射するのを妨げる遮光手段２０とを有し、遮光手段２０は、少なくとも２枚の遮光板を備えて構成され、撮像の際に少なくとも２枚の遮光板が展開して焦点検出手段の光路を覆い、焦点検出の際に少なくとも２枚の遮光板が重なり合って光路から退避する。【選択図】図２
2012078712.tif 000002
【特許請求の範囲】
【請求項１】
レンズからの光を第１の方向に導くメインミラーと、
前記レンズからの光を第２の方向に導くサブミラーと、
前記サブミラーにより前記第２の方向に導かれた光に基づいて焦点検出を行う焦点検出手段と、
前記レンズからの光を撮像する撮像手段と、
前記撮像手段による撮像の際に、前記焦点検出手段の反射光が前記撮像手段へ入射するのを妨げる遮光手段と、を有し、
前記遮光手段は、少なくとも２枚の遮光板を備えて構成され、前記撮像の際に該少なくとも２枚の遮光板が前記焦点検出手段の光路を覆い、前記焦点検出の際に前記少なくとも２枚の遮光板が重なり合って前記光路から退避することを特徴とする撮像装置。
【請求項２】
前記焦点検出手段は、前記焦点検出を行う焦点検出用センサと、前記サブミラーにより導かれた光を前記焦点検出用センサに集光させるフィールドレンズ及び二次結像レンズとを備え、
前記遮光手段は、前記撮像の際に前記少なくとも２枚の遮光板が前記フィールドレンズの曲面状の表面に沿って、かつ、その一部が重なり合った状態で展開することを特徴とする請求項１に記載の撮像装置。
【請求項３】
前記メインミラーは、前記サブミラーが回駆可能に取り付けられて前記レンズからの光をペンタプリズムへ導くように配置され、前記撮像の際に該サブミラーとともに撮像光路から退避するように構成され、
前記遮光手段は、前記撮像の際に前記メインミラーが退避するのと連動して、前記少なくとも２枚の遮光板を展開させて前記焦点検出手段の前記光路を覆い、前記撮像が終了した後に該メインミラーの移動と連動して、該光路から退避することを特徴とする請求項１又は２に記載の撮像装置。
【請求項４】
前記遮光手段は、前記撮像の際に該少なくとも２枚の遮光板が展開して前記焦点検出手段の光路を覆うことを特徴とする請求項１乃至３のいずれか１項に記載の撮像装置。
【発明の詳細な説明】
【技術分野】
【０００１】
本発明は、焦点検出手段の反射光が撮像手段へ入射するのを防ぐ遮光手段を備えた撮像装置に関する。
【背景技術】
【０００２】
従来から、一眼レフカメラは、筐体であるミラーボックス内にレンズからの光をミラーボックス上部のファインダー光学系へ導くメインミラーと、ミラーボックス下部の焦点検出手段に導くサブミラーを備えている。サブミラーはメインミラーに回動可能に取り付けられ、撮像の際にメインミラーとともにミラーボックス上部のアップ位置へ折りたたまれるように退避し、ミラーボックス上部のファインダー光学系を遮光する。焦点検出手段は、サブミラーからの光を焦点検出用センサに結像するためのフィールドレンズ及び二次結像レンズを有する。しかし、フィールドレンズはミラーボックス下部に露出しているため、撮像の際にフィールドレンズからの反射光が例えばＣＭＯＳなどの撮像手段に入射し、撮像画像にゴーストが発生するという問題がある。
【０００３】
そこで、例えば特許文献１には、焦点検出手段のフィールドレンズを遮光する遮光機構が開示されている。この遮光機構は、メインミラーの駆動時において、メインミラーが一枚の遮光板を駆動してフィールドレンズを遮光する。
【先行技術文献】
【特許文献】
【０００４】
【特許文献１】特開２００６−１３９１２６号公報
【発明の概要】
【発明が解決しようとする課題】
【０００５】
しかしながら、近年、焦点検出手段の焦点検出点の多点化に伴い、フィールドレンズを含めた焦点検出手段が大型化し、フィールドレンズを遮光する遮光板も大型化している。このような状況において、特許文献１に開示された遮光機構では、撮像の際に遮光板を退避させるための十分なスペースがない。このため、遮光機構が焦点検出手段の光路を遮ることや、回動するメインミラーやサブミラーと接触するなどのおそれがある。
【０００６】
そこで本発明は、遮光板が大型化した場合でも、撮像の際に焦点検出手段の光路を遮ることや、回動するメインミラーやサブミラーと接触することを防止した撮像装置を提供する。
【課題を解決するための手段】
【０００７】
本発明の一側面としての撮像装置は、レンズからの光を第１の方向に導くメインミラーと、前記レンズからの光を第２の方向に導くサブミラーと、前記サブミラーにより前記第２の方向に導かれた光に基づいて焦点検出を行う焦点検出手段と、前記レンズからの光を撮像する撮像手段と、前記撮像手段による撮像の際に、前記焦点検出手段の反射光が前記撮像手段へ入射するのを妨げる遮光手段とを有し、前記遮光手段は、少なくとも２枚の遮光板を備えて構成され、前記撮像の際に該少なくとも２枚の遮光板が前記焦点検出手段の光路を覆い、前記焦点検出の際に前記少なくとも２枚の遮光板が重なり合って前記光路から退避する。
【０００８】
本発明の他の目的及び特徴は、以下の実施例において説明される。
【発明の効果】
【０００９】
本実施例によれば、遮光板が大型化した場合でも、撮像の際に焦点検出手段の光路を遮ることや、回動するメインミラーやサブミラーと接触することを防止した撮像装置を提供することができる。
【図面の簡単な説明】
【００１０】
【図１】本実施例におけるカメラの外観斜視図である。
【図２】本実施例におけるカメラの内部構造（（ａ）焦点検出時、（ｂ）撮像時）を示す横断面図である。
【図３】本実施例におけるカメラの遮光機構（（（ａ）焦点検出時、（ｂ）撮像時）を示す斜視図である。
【図４】本実施例における遮光機構の動作を示すフローチャートである。
【発明を実施するための形態】
【００１１】
以下、本発明の実施例について、図面を参照しながら詳細に説明する。各図において、同一の部材については同一の参照番号を付し、重複する説明は省略する。
【００１２】
まず、図１及び図２を参照して、本発明の実施例１におけるデジタルカメラ（撮像装置）の主な構成について説明する。図１は、デジタルカメラ１の外観斜視図である。また図２は、デジタルカメラ１の内部構造を示す横断面図であり、図２（ａ）は焦点検出時の状態を示し、図２（ｂ）は撮像時の状態を示す。デジタルカメラ１の正面には交換可能なレンズ２（レンズユニット）が取り付けられており、レンズ２から入射した光は、デジタルカメラ１の内部にある撮像手段３により撮像される。撮像手段３は、ＣＣＤやＣＭＯＳなどの撮像素子を備えて構成される。
【００１３】
レンズ２と撮像手段３との間には、デジタルカメラ１の筐体であるミラーボックス４が設けられており、ファインダー（不図示）へ光を反射するメインミラー５が回動可能に取り付けられている。メインミラー５で反射して第１の方向Ａに導かれた光は、ペンタプリズム６によりファインダー（不図示）へ導かれる。このようにメインミラー５は、サブミラー７が回駆可能に取り付けられてレンズ２からの光をペンタプリズム６へ導くように配置されている。また、メインミラー５はハーフミラーであり、メインミラー５を透過した光の一部は、メインミラー５に回動可能に取り付けられたサブミラー７で反射して第２の方向Ｂに導かれ、焦点検出手段８に入射する。
【００１４】
ユーザーがレリーズ釦９を半押しすると、焦点検出手段８は、サブミラー７により第２の方向Ｂに導かれた光に基づいて焦点検出を行い、レンズ２の焦点合わせが行われる。次に、ユーザーがレリーズ釦９を全押しすると（撮像の際には）、撮像手段３の前面に配置されたメインミラー５がサブミラー７とともに撮像光路から退避する。また、撮像手段３の前に配置されたシャッター１０が開閉し、レンズ２からの光が撮像手段３へ入光する。そして、撮像手段３は電荷蓄積及び電荷読み出し動作を開始して露光を行う。このように、撮像手段３は、レンズ２からの光を撮像する。
【００１５】
焦点検出手段８は、位相差検出方式により焦点検出を行う焦点検出用センサ１２を有する。焦点検出用センサ１２は、少なくとも一対のラインセンサ（不図示）を備え、これら一対のラインセンサから得られる視差を有する２つの画像に基づいて、位相差検出方式によりレンズ２の合焦状態を検出する。また焦点検出手段８は、一次結像面に形成されるべき像をその内部へ導くフィールドレンズ１１を有する。更に焦点検出手段８は、フィールドレンズ１１からの光を焦点検出用センサ１２に向けて折り曲げるミラー１３、及び、ミラー１３からの光を焦点検出用センサ１２へ集光する二次結像レンズ１４を有する。このようにフィールドレンズ１１及び二次結像レンズ１４は、サブミラー７により導かれた光を焦点検出用センサ１２に集光させるように構成されている。
【００１６】
次に、図２及び図３を参照して、本実施例における遮光機構（遮光手段）の構成について説明する。図３は、遮光機構の斜視図であり、図３（ａ）は焦点検出時の状態を示し、図３（ｂ）は撮像時の状態を示す。図２（ａ）、（ｂ）に示されるように、遮光機構は少なくとも２枚の遮光板１５、１６を備えて構成され、焦点検出手段８のフィールドレンズ１１（焦点検出手段８の光路）を遮光可能な位置、すなわち焦点検出手段８の光路を覆うように配置される。本実施例において、遮光機構は２枚の遮光板１５、１６を備えるが、フィールドレンズ１１の大きさによっては３枚以上の遮光板を用いて構成してもよい。
【００１７】
遮光板１５、１６は光軸方向に並んで配置され、図２（ａ）及び図３（ａ）の焦点検出の際には互いに重なり合って焦点検出手段８に入射する光線（焦点検出手段８の光路）から退避している。このとき、撮像の際に回動するメインミラー５及びサブミラー７に接触しないように構成されている。遮光板１５、１６は回動可能にミラーボックス４に取り付けられており、図２（ｂ）及び図３（ｂ）に示されるように、撮像の際に回動してフィールドレンズ１１の曲面状の表面に沿って、２枚の遮光板１５、１６が展開し、フィールドレンズ１１を遮光する。これにより、焦点検出手段８（フィールドレンズ１１）の反射光が撮像手段３へ入射するのを妨げることができる。
【００１８】
このとき、遮光板１５、１６の隙間からの光線漏れを抑制するため、撮像手段３により近い側に配置されている遮光板１６と、レンズ２側に配置されている遮光板１５は、その一部が重なり合った状態で展開している。また、撮像手段３側に傾いたフィールドレンズ１１の曲面形状に沿うように、遮光板１６は下側（フィールドレンズ１１側）に配置されることが好ましい。また、遮光板１５、１６はリンク機構で連結されており、連動して回動するように構成されている。
【００１９】
次に、図３及び図４を参照して、本実施例における遮光機構の駆動機構について説明する。図４は、遮光機構の動作を示すフローチャートである。遮光板１５は、撮像の際にメインミラー５をミラーボックス４の上部へアップさせるアップレバー１７とリンクアーム１９によって連結されている。ユーザーがレリーズ釦９を押して撮像を開始すると、ＳＴＥＰ１においてアップレバー１７はメインミラー５をアップ位置へ押し上げると同時にリンクアーム１８を回動させる。そして、リンクアーム１８によって遮光板１５とこれに連結した遮光板１６が回動し、フィールドレンズ１１を遮光する。このとき、図３（ｂ）に示される状態となる。
【００２０】
続いてＳＴＥＰ２でシャッター１０が開口し、撮像手段３は露光を開始する。ＳＴＥＰ３でシャッター１０が閉口し、撮像手段３の露光が終了すると、ＳＴＥＰ４でダウンバネ（不図示）はメインミラー５をダウンさせ、メインミラー５と連動しているアップレバー１７も同時に回動する。アップレバー１７はリンクアーム１９を回動させ、リンクアーム１８によって遮光板１５とそれに連結している遮光板１６が回動し、焦点検出手段８は焦点検出を行う。このとき、図３（ａ）に示される状態に戻る。このように、遮光板１５と遮光板１６はメインミラー５と連動しているため、メインミラー５のアップ・ダウン動作と同時に回動する。すなわち遮光機構は、撮像の際にメインミラー５が退避するのと連動して、遮光板１５、１６を展開させて焦点検出手段８の光路を覆い、撮像が終了した後にメインミラー５の移動と連動して、この光路から退避する。このため、遮光機構の動作によって、ユーザーがレリーズ釦９を押してから撮像手段３が露光を開始するまでのレリーズタイムラグが長くなることはない。
【００２１】
本実施例によれば、遮光板が大型化した場合でも、撮像の際に焦点検出手段の光路を遮ることや、回動するメインミラーやサブミラーと接触することを防止した撮像装置を提供することができる。
【００２２】
以上、本発明の好ましい実施形態について説明したが、本発明はこれらの実施形態に限定されず、その要旨の範囲内で種々の変形及び変更が可能である。
【符号の説明】
【００２３】
２  レンズ
３  撮像手段
５  メインミラー
７  サブミラー
８  焦点検出手段
１５、１６  遮光板
２０  遮光機構
【図１】
2012078712.tif 000003
【図２】
2012078712.tif 000004
【図３】
2012078712.tif 000005
【図４】
2012078712.tif 000006